(57)【要約】【課題】包丁はその材質に拘わらず複数収納でき、使用済みの俎板は全体が外部に触れず空中に晒して乾燥を早め、且つ複数枚収納出来、調理時に区別して用いることが出来、また菜箸立て、ロールペーパー掛けなども収納できる調理用具立てを提供する。【解決手段】基台１に立った支柱２と包丁ケース３とその中間に器４を設置し、支柱上部には貫通した横桁５及び７があり、支柱横穴から包丁ケース裏を通って突き出た横桁６とで調理用具立てを構成している。【選択図】図１
0003200987.tif 000002
【実用新案登録請求の範囲】
【請求項１】
基台（１）上に俎板吊具（５）、ロールペーパー掛け（７）、包丁立て（３）,菜箸立て（４）、鋏掛け（６）を配置した調理用具立てであって、前記俎板吊具及びロールペーパー掛けは前記基台に立設した支柱（２）上部に設けた横桁であり、前記包丁立ては前記基台上に斜めに固定されていて、前記菜箸立ては前記支柱と前記包丁立ての間に設置され、前記鋏掛けは前記支柱の中部に設けた横桁であり前記包丁立て裏側に密着したことを特徴とする調理用具立て。
【請求項２】
前記俎板吊具は複数枚掛けられる長さにしたものであり、
前記ロールペーパー掛けは強く引いても使用できる強さにしたものであり、
前記包丁立ては差し込み口を前方に傾斜させたものであり、
前記菜箸立ては着脱自在の嵌め込み式にしたものと吊り下げたものであり、
前記鋏掛けは脱落を防ぐためのストッパー（３a）を設置したものであることを特徴とする請求項１記載の調理用具立て。
【請求項３】
前記基台、支柱、俎板吊具、ロールペーパー掛け、包丁立て、菜箸立て、鋏掛けの材質は石、木材、金属、アクリルの組み合わせで構成されることを特徴とする請求項１および請求項２記載の調理用具立て。
【考案の詳細な説明】
【技術分野】
【０００１】
本考案は調理用具立てに関するものである。
【背景技術】
【０００２】
調理に用いる包丁、鋏、俎板も色々扱い易いように考えたものが出ており、調理済の包丁は流し台の扉の内側に或いは包丁ケースに収納し、鋏は引き出しの中などへ、俎板は俎板立てに立てるか、フックに吊り下げるかして片付けていた。
然るに台所道具を同一基台に収納出来るようにしたものが特許文献として3件ある。
【先行技術文献】
【特許文献】
【０００３】
【特許文献１】実登3049953号公報
【特許文献２】実開平5-26038号公報、
【特許文献３】実登3051050号公報
【考案の概要】
【考案が解決しようとする課題】
【０００４】
本考案は以上のような従来の欠点に鑑み、包丁はその材質に拘わらず複数収納でき、使用済みの俎板は全体が外部に触れず空中に晒して乾燥を早め、且つ複数枚収納出来るから調理時に区別して用いることが出来る。また当該３件の特許文献では設置できない菜箸立て、ロールペーパー掛けなども収納できる調理用具立てを提供することを目的としている。
【課題を解決するための手段】
【０００５】
上記目的を達成するために本考案は、基台（１）上に俎板吊具（５）、ロールペーパー掛け（７）、包丁立て（３）,菜箸立て（４）、鋏掛け（６）を配置した調理用具立てであって、前記俎板吊具及びロールペーパー掛けは前記基台に立設した支柱（２）上部に設けた横桁であり、前記包丁立ては前記基台上に斜めに固定されていて、前記菜箸立ては前記支柱と前記包丁立ての間に設置され、前記鋏掛けは前記支柱の中部に設けた横桁であり前記包丁立て裏側に密着したことを特徴とする調理用具立てである。
【０００６】
第２の考案は、前記俎板吊具は複数枚掛けられる長さにしたものであり、前記ロールペーパー掛けは強く引いても使用できる強さにしたものであり、前記包丁立ては差し込み口を前方に傾斜させたものであり，前記菜箸立ては着脱自在の嵌め込み式にしたものであり、オールステンレス製は支柱中部中間に吊り下げたものであり、前記鋏掛けは脱落を防ぐためのストッパー（３a）を設置したものであることを特徴とする請求項１記載の調理用具立て。
【０００７】
第３の考案は、前記基台、支柱、俎板吊具、ロールペーパー掛け、包丁立て、菜箸立て、鋏掛けの材質は石、木材、金属、アクリルの組み合わせで構成されることを特徴とする請求項１及び請求項２記載の調理用具立てである。
【考案の効果】
【０００８】
本考案によれば、俎板を複数枚吊り下げて置けるので調理の時、食材の種類によって使用面を新しい状態にすることができる。
また、包丁ケースは出し入れしやすいように手前に傾けた。ぺティナイフや複数の包丁を収納する。長くて置き場所に困る菜箸は基台に嵌め込んだアクリルカップに立て掛けられる、このカップは着脱可能で常に清潔に使用できる。このように合理的で衛生的且つシンプルにして省スペースで他の道具類も収納でき、調理の時、手の届く範囲に必要なものがコンパクトに置けて取り出し易いという特徴がある。
【図面の簡単な説明】
【０００９】
【図１】本考案の調理用具立ての実施例を示す正面図である。
【図２】調理用具立ての右側面図である。
【図３】調理用具立ての他の実施例の写真である。
【図４】調理用具立ての他の実施例の写真である。
【図５】調理用具立ての他の実施例の写真である。
【考案を実施するための形態】
【００１０】
基台の上に支柱と包丁ケースを固定し、その間に菜箸等を立てるカップを挿着した。
支柱上部に貫通した横桁は左右に分かれ、左側は俎板掛けとし複数の俎板を吊るすことができ、右側はロールペーパーを掛けられる。包丁ケースは出し入れしやすいように手前に傾斜させた。支柱中央部から包丁ケース裏側を通って右に突き出た横桁はキッチン鋏等を吊り下げられるようにし、末端にストッパー（３a）をつけた。
【実施例】
【００１１】
以下本考案の実施例を図面に従って説明する。図１は本考案に係る調理用具立ての実施例を示す正面図であり、図２は同じく実施例の包丁ケース側の右側面図でる。
【００１２】
本実施例に係る調理用具立ては図１、図２に示すように基台１を有し、上面に支柱２と包丁ケース３とを固定しその間に着脱可能な菜箸立４を設置した。
支柱上部には貫通させた横桁５と７を有し、また支柱中間の横穴に差し込んだ棒は包丁ケース裏側に挟み込んで固定し、その延長上に突き出して掛架６とした。菜箸等入れ４の器は安定させるため基台へ挿入させた。
オールステンレス製は支柱中部中間に吊り下げたものである。
【００１３】
支柱上部突起５は俎板を数枚少しずつ離してぶら下げ、風通し乾燥の短縮に。ロールペーパー掛け７は負荷に強く布巾を巻き込んでも使用できる。包丁ケースは手前に傾斜させて出し入れを容易にすると共に上部７との空間を考慮した。
包丁ケース右に突き出た掛架６はキッチン鋏その他の小道具類を掛けられる長さにした。
【００１４】
本実施例の図１，２に示すように基台１表面に切り込みを施した。支柱の底部と支柱と包丁ケース間手前と包丁ケース（３）底部とが挿入される。包丁ケースの開口スリット12、12aは包丁類、中央部11はぺティナイフ入れを設け、両側スリットは出刃包丁も収納可能にし、柄をなるべく手前にくるようにした。ぺティナイフ入れは奥に設けた。下部の部材に直接当たらないように、包丁類、ペティナイフは刃を上に向けて収納するとよい
【００１５】
実施例図１正面図に示すように俎板掛５は標準俎板の最長部（385ｍｍ）がぶら下がる高さに設定した。穴のあいていない俎板は一方に径15mm程度の穴を穿つか、上部に把手をつけて下げることも出来る。
ロールペーパー掛け ７は布を幾重にも巻き込んで置くと片手で包丁などを拭うことが出来る。また移動の時７部を持って運べる。
【００１６】
各部材質に関しては［符号の説明］［００１７］に示すカッコ内を最適とするが、適宜に使い分けることは可能である。
本実施例の図３〜５は包丁ケースの異なる材質を3種類正面写真で示した。図３のＡとＢは木材、図４のＡとＢはアクリル、図５のＡとＢはステンレスであり、それぞれのＢは調理用具をセットした写真である。
【符号の説明】
【００１７】
１：基台(石または木材)  
２：支柱（金属または木材）  
３：包丁ケース（木材・アクリル）
３a：ストッパー  
４：菜箸等入れ（アクリル）  
５：俎板掛（金属）  
６：キッチン鋏掛（金属）  
７：ロールペーパー掛け（金属）   
９：アクリルカップ挿入孔  
１０支柱底部挿入孔  
１１：ぺティナイフ入れ  
１２、１２a：包丁入れ  
【図１】
0003200987.tif 000003
【図２】
0003200987.tif 000004
【図３】
0003200987.tif 000005
【図４】
0003200987.tif 000006
【図５】
0003200987.tif 000007